(57)【要約】【課題】  遊技媒体の放出に際して不要な媒体容器の投出を回避できるようにする。【解決手段】  メダル貸出機は、利用者による貨幣の投入に応じてメダル（遊技媒体）を所定数量だけ放出すると共に、放出されるメダルを受けるためのカップ（媒体容器）を投出可能に構成されている。このメダル貸出機の制御部は、（ａ）カップ投出ボタン１６ａによりカップの投出要が選択された場合、取出口１５へカップが投出された後、メダルが放出され、（b'）カップ投出ボタン１６ａによりカップの投出要が選択されなかった場合、取出口１５へカップが投出されることなく、メダルが放出される、ような制御を行うように構成されている。【選択図】  図１
2005202655.tif 000002
【特許請求の範囲】
【請求項１】
遊技媒体を受けるための媒体容器を投出可能な遊技媒体貸出装置において、
遊技媒体の取出口と、
前記取出口へ所定数量の遊技媒体を放出するための媒体放出手段と、
予め装填された媒体容器を前記取出口へ投出するための容器投出手段と、
媒体容器の投出の要／不要を利用者が選択するための投出選択手段と、
前記投出選択手段による選択に応じて、前記媒体放出手段および前記容器投出手段を制御する制御手段と、
を備え、
前記制御手段は、
（ａ）前記投出選択手段により媒体容器の投出要が選択された場合、前記取出口へ媒体容器が投出された後、遊技媒体が放出され、
（ｂ）前記投出選択手段により媒体容器の投出不要が選択された場合、前記取出口へ媒体容器が投出されることなく、遊技媒体が放出される、
ような制御を行う、ことを特徴とする遊技媒体貸出装置。
【請求項２】
前記投出選択手段は、媒体容器の投出要のみを選択可能であり、
前記制御手段は、
（ａ）前記投出選択手段により媒体容器の投出要が選択された場合、前記取出口へ媒体容器が投出された後、遊技媒体が放出され、
（b'）前記投出選択手段により媒体容器の投出要が選択されなかった場合、前記取出口へ媒体容器が投出されることなく、遊技媒体が放出される、
ような制御を行う、ことを特徴とする請求項１記載の遊技媒体貸出装置。
【請求項３】
前記投出選択手段は、媒体容器の投出不要のみを選択可能であり、
前記制御手段は、
（a'）前記投出選択手段により媒体容器の投出不要が選択されなかった場合、前記取出口へ媒体容器が投出された後、遊技媒体が放出され、
（ｂ）前記投出選択手段により媒体容器の投出不要が選択された場合、前記取出口へ媒体容器が投出されることなく、遊技媒体が放出される、
ような制御を行う、ことを特徴とする請求項１記載の遊技媒体貸出装置。
【請求項４】
遊技媒体を受けるための媒体容器を投出可能な遊技媒体貸出装置において、
遊技媒体の取出口と、
前記取出口へ所定数量の遊技媒体を放出するための媒体放出手段と、
予め装填された媒体容器を前記取出口へ投出するための容器投出手段と、
前記取出口における媒体容器の有無を検知する容器検知手段と、
遊技媒体放出前の所定の時点における、前記容器検知手段による容器の有無の検知に応じて、前記媒体放出手段および前記容器投出手段を制御する制御手段と、
を備え、
前記制御手段は、
（ｉ）前記容器検知手段が媒体容器無しを検知している場合、前記取出口へ媒体容器が投出された後、遊技媒体が放出され、
（ii）前記容器検知手段が媒体容器有りを検知している場合、前記取出口へ媒体容器が投出されることなく、遊技媒体が放出される、
ような制御を行う、ことを特徴とする遊技媒体貸出装置。
【請求項５】
遊技媒体の放出数量を利用者が選択するための数量選択手段を更に備え、
前記制御手段は、前記数量選択手段によって選択された遊技媒体の放出数量が所定の容器必要基準値を下回っている場合、その他の条件にかかわらず前記取出口へ媒体容器が投出されないようにする、ことを特徴とする請求項１乃至４のいずれかに記載の遊技媒体貸出装置。
【発明の詳細な説明】
【技術分野】
【０００１】
本発明は、例えばゲームセンター等においてメダル等の遊技媒体を貸し出すための遊技媒体貸出装置に係り、特に遊技媒体を受けるためのカップ等の媒体容器を投出可能な遊技媒体貸出装置の改良に関する。
【背景技術】
【０００２】
従来、上記のような遊技媒体貸出装置には、特許文献１に記載されたメダル貸出機がある。そのメダル貸出機は、利用者が大量のメダルを購入する際にはメダルの取出口へカップを投出してからメダルを放出し、少量のメダルを購入する際には取出口へカップを投出することなくメダルを放出するように構成されている。なお、媒体容器としてのカップの投出は、特許文献１または２に記載されているように、装置内に予め重積状態で装填されていたものを１つずつ繰出し式に落下させることで行われる。
【特許文献１】特許第２８６０８１８号公報（第１図、第２図等）
【特許文献２】実開平３−８６４７３号公報（第２図、第３図等）
【発明の開示】
【発明が解決しようとする課題】
【０００３】
上述した従来の遊技媒体貸出装置では、大量のメダルを購入する際には必ずカップが投出され、そのカップ内にメダルが放出される。従って、一度カップと共にメダルを購入した利用者が、メダルを使い切った後、再度メダルを大量購入する際には、（手持ちのカップがあるにもかかわらず）改めて別のカップが投出されることになる。
【０００４】
これにより、必要以上に多くのカップが投出されることになるため、装置へのカップの補充作業が頻繁に必要となり、効率が悪い。一方、補充頻度を減らすためにカップの装填数を多くしようとすれば、装置内のスペースが取られてしまう。また、不要となった空のカップの処理も問題となり、それらが周囲に散乱されれば美観を損ね、また片付け作業の労力もかかってしまう。
【０００５】
本発明は、このような点を考慮してなされたものであり、遊技媒体の放出に際して不要な媒体容器の投出を回避できるような遊技媒体貸出装置を提供することを目的とする。
【課題を解決するための手段】
【０００６】
第１の発明は、遊技媒体を受けるための媒体容器を投出可能な遊技媒体貸出装置において、遊技媒体の取出口と、前記取出口へ所定数量の遊技媒体を放出するための媒体放出手段と、予め装填された媒体容器を前記取出口へ投出するための容器投出手段と、媒体容器の投出の要／不要を利用者が選択するための投出選択手段と、前記投出選択手段による選択に応じて、前記媒体放出手段および前記容器投出手段を制御する制御手段と、を備え、前記制御手段は、（ａ）前記投出選択手段により媒体容器の投出要が選択された場合、前記取出口へ媒体容器が投出された後、遊技媒体が放出され、（ｂ）前記投出選択手段により媒体容器の投出不要が選択された場合、前記取出口へ媒体容器が投出されることなく、遊技媒体が放出される、ような制御を行う、ことを特徴とする遊技媒体貸出装置である。
【０００７】
この第１の発明によれば、利用者が投出選択手段により媒体容器の投出不要を選択することで、遊技媒体の放出に際して不要な媒体容器の投出を回避することができる。
【０００８】
第２の発明は、第１の発明において、前記投出選択手段は、媒体容器の投出要のみを選択可能であり、前記制御手段は、（ａ）前記投出選択手段により媒体容器の投出要が選択された場合、前記取出口へ媒体容器が投出された後、遊技媒体が放出され、（b'）前記投出選択手段により媒体容器の投出要が選択されなかった場合、前記取出口へ媒体容器が投出されることなく、遊技媒体が放出される、ような制御を行うものである。
【０００９】
この第２の発明によれば、利用者は、媒体容器の投出が不要な場合、投出選択手段による選択の操作を省略することができる。これにより、装置の構成および操作を簡略化することができる。
【００１０】
第３の発明は、第１の発明において、前記投出選択手段は、媒体容器の投出不要のみを選択可能であり、前記制御手段は、（a'）前記投出選択手段により媒体容器の投出不要が選択されなかった場合、前記取出口へ媒体容器が投出された後、遊技媒体が放出され、（ｂ）前記投出選択手段により媒体容器の投出不要が選択された場合、前記取出口へ媒体容器が投出されることなく、遊技媒体が放出される、ような制御を行うものである。
【００１１】
この第３の発明によれば、利用者は、媒体容器の投出が必要な場合、投出選択手段による選択の操作を省略することができる。これにより、装置の構成および操作を簡略化することができる。
【００１２】
第４の発明は、遊技媒体を受けるための媒体容器を投出可能な遊技媒体貸出装置において、遊技媒体の取出口と、前記取出口へ所定数量の遊技媒体を放出するための媒体放出手段と、予め装填された媒体容器を前記取出口へ投出するための容器投出手段と、前記取出口における媒体容器の有無を検知する容器検知手段と、遊技媒体放出前の所定の時点における、前記容器検知手段による容器の有無の検知に応じて、前記媒体放出手段および前記容器投出手段を制御する制御手段と、を備え、前記制御手段は、（ｉ）前記容器検知手段が媒体容器無しを検知している場合、前記取出口へ媒体容器が投出された後、遊技媒体が放出され、（ii）前記容器検知手段が媒体容器有りを検知している場合、前記取出口へ媒体容器が投出されることなく、遊技媒体が放出される、ような制御を行う、ことを特徴とする遊技媒体貸出装置である。
【００１３】
この第４の発明によれば、利用者が取出口へ手持ちの媒体容器を置いた場合、容器検知手段が媒体容器有りを検知することで、遊技媒体の放出に際して不要な媒体容器の投出を回避することができる。
【００１４】
第５の発明は、第１乃至第４の発明のいずれかにおいて、遊技媒体の放出数量を利用者が選択するための数量選択手段を更に備え、前記制御手段は、前記数量選択手段によって選択された遊技媒体の放出数量が所定の容器必要基準値を下回っている場合、その他の条件にかかわらず前記取出口へ媒体容器が投出されないようにするものである。
【００１５】
この第５の発明によれば、容器必要基準値を下回るような少量の遊技媒体を放出する際には無条件で媒体容器が放出されないようにして、不要な媒体容器の投出をより確実に回避することができる。
【発明の効果】
【００１６】
請求項１記載の発明によれば、利用者が投出選択手段により媒体容器の投出不要を選択し、請求項４記載の発明によれば、利用者が取出口へ媒体容器を置いた場合、容器検知手段が媒体容器有りを検知することで、それぞれ遊技媒体の放出に際して不要な媒体容器の投出を回避することができる。これにより、必要以上に多くのカップが投出されることがなくなるので、装置への媒体容器の補充作業の頻度を減らすことができ、或いは装置への媒体容器の装填数を少なくしてスペースを取らないようにすることができる。また、不要となった空のカップの数を減らすことで、美感の悪化や片付け作業の問題を軽減することができる。
【発明を実施するための最良の形態】
【００１７】
次に、図面を参照して本発明による遊技媒体貸出装置の実施形態について説明する。図１〜図６は本発明による遊技媒体貸出装置をメダル貸出機として構成した場合の実施の形態を示す図である。
【００１８】
《第１の実施形態》
まず、図１〜図５を参照して、本発明の第１の実施形態としてのメダル貸出機について説明する。
【００１９】
［構  成］
本実施形態のメダル貸出機は、利用者による貨幣の投入に基づいてメダル（遊技媒体）Ｍを所定数量だけ放出（払出し）すると共に、放出されるメダルＭを受けるための（一般にプラスチック製の）カップ（媒体容器）Ｃを投出可能に構成されている（図４参照）。
【００２０】
図１および図２に示すように、このメダル貸出機の機体１は、本体側１Ｂと、この本体側１Ｂに対して開閉自在に取り付けられた扉側１Ａとを備えている。図１に示すように、機体扉側１Ａの表側には、数量選択ボタン１１、情報表示部１２、硬貨投入口１３、紙幣入出口１４、メダルの取出口１５およびカップ投出ボタン１６が設けられている。
【００２１】
図２に示すように、機体扉側１Ａの裏側には、取出口１５へカップを投出するためのカップ投出部１７と、取出口１５へ所定数量のメダルを放出するためのメダル放出部（媒体放出手段）１９とが設けられている。また、機体本体側１Ｂには、硬貨処理部２０、紙幣処理部２１および制御部２２が設けられている。
【００２２】
図３に示すように、制御部２２には、上記の数量選択ボタン１１、情報表示部１２、カップ投出ボタン１６ａ、カップ投出部１７、メダル放出部１９、硬貨処理部２０および紙幣処理部２１の他、電源部２４が接続されている。なお、カップ投出部１７は、予め装填されたカップを重積状態で収納しておくカップ収納部や、この収納部からカップを１つずつ下方へ繰り出して取出口１５へ投出するためのカップ投出機構などを含む。また、メダル放出部１９は、予め装填されたメダルを収納しておくメダル収納部や、このメダル収納部からメダルを所定数量だけ放出するためのメダル放出機構などを含む。
【００２３】
なお、メダル放出部１９から放出されたメダルＭは、図４に示すように、メダル放出通路２３を通じて取出口１５へ（取出口１５にカップＣがある場合は、その中に）放出されるようになっている。
【００２４】
上記カップ投出ボタン１６ａは、カップの投出の要／不要のうち「投出要」を利用者が選択するための（投出要のみを選択可能な）投出選択手段としての機能を有している。また、上記数量選択ボタン１１は、取出口１５へのメダルの放出数量（金額）を利用者が選択するための数量選択手段としての機能を有している。図１に示す数量選択ボタン１１は、Ｎｏ.１〜５の５つのボタンに分かれており、各ボタンＮｏ.１〜５が、例えば５０枚（５００円）、１０５枚（１０００円）、２２０枚（２０００円）、３５０枚（３０００円）、６００枚（５０００円）に、それぞれ割り当てられている。
【００２５】
そして、上記制御部２２は、数量選択ボタン１１およびカップ投出ボタン１６ａによる選択に応じて、上記メダル放出部１９およびカップ投出部１７を制御するように構成されている。
【００２６】
具体的には、制御部２２により図５のフローチャートに示すような制御が行われる。図５において、まずステップＳ１で貨幣が投入され、ステップＳ２でカップ投出ボタン１６ａの押下によりカップの投出要が選択された場合、ステップＳ３でカップ投出部１７により取出口１５へカップが投出される。ステップＳ２でカップ投出ボタン１６ａの押下がなく、カップの投出要が選択されなかった場合は、ステップＳ３のカップの投出は行われない。
【００２７】
次に、ステップＳ４で数量選択ボタン１１（Ｎｏ.１〜５のいずれか）の押下によりメダルの放出数量が選択されると、ステップＳ５で、選択された数量（枚数）のメダルが取出口１５へ放出される。なお、ステップＳ３のカップ投出が行われている場合は、投出されたカップ内にメダルが放出される。また、ステップＳ３のカップ投出が行われてない場合でも、事前に利用者が手持ちのカップを取出口１５へ置いている場合には、そのカップ内にメダルが放出される。それ以外の場合は、メダルが取出口１５へ直接放出されることになる。
【００２８】
すなわち、制御部２２は、
（ａ）カップ投出ボタン１６ａによりカップの投出要が選択された場合、取出口１５へカップが投出された後、メダルが放出され、
（b'）カップ投出ボタン１６ａによりカップの投出要が選択されなかった場合、取出口１５へカップが投出されることなく、メダルが放出される、
ような制御を行うように構成されている。
【００２９】
［作用効果］
次に、以上のように構成された本実施形態の作用効果について説明する。
【００３０】
本実施形態によれば、利用者が（カップ投出ボタン１６ａを押下しないことにより）カップの投出要を選択しないことで、メダルの放出に際して不要なカップの投出を回避することができる。これにより、必要以上に多くのカップが投出されることがなくなるので、装置へのカップの補充作業の頻度を減らすことができ、或いは装置へのカップの装填数を少なくしてスペースを取らないようにすることができる。また、不要となった空のカップの数を減らすことで、美観の悪化や片付け作業の問題を軽減することができる。
【００３１】
また上記のように、利用者は、カップの投出が不要な場合、投出選択手段としてのカップ投出ボタン１６ａによる選択の操作を省略することができる。これにより、装置の構成および操作を簡略化することができる。
【００３２】
［変形例１］
次に、本実施形態の変形例について説明する。
【００３３】
この変形例は、カップの投出の要／不要のうち「投出要」を利用者が選択するための（投出要のみを選択可能な）カップ投出ボタン１６ａに代えて、「投出不要」を利用者が選択するための（投出不要のみを選択可能な）投出選択手段としてのカップ不要ボタン１６ｂ（図１および図３）を備えるものである。
【００３４】
この場合、上記制御部２２は、
（a'）カップ不要ボタン１６ｂによりカップの投出不要が選択されなかった場合、取出口１５へカップが投出された後、メダルが放出され、
（ｂ）カップ不要ボタン１６ｂによりカップの投出不要が選択された場合、取出口１５へカップが投出されることなく、メダルが放出される、
ような制御を行う。
【００３５】
この変形例においては、利用者がカップ不要ボタン１６ｂによりカップの投出不要を選択することで、メダルの放出に際して不要なカップの投出を回避することができる。一方、利用者は、カップの投出が必要な場合、投出選択手段による選択の操作を省略することができる。これによっても、装置の構成および操作を簡略化することができる。
【００３６】
［変形例２］
次に、本実施形態のもう１つの変形例について説明する。
【００３７】
この変形例は、カップの投出の要／不要のうち「投出要」を利用者が選択するための（投出要のみを選択可能な）カップ投出ボタン１６ａ（のみ）に代えて、カップの投出の要／不要を利用者が選択するための投出選択手段（例えばカップ投出ボタン１６ａとカップ不要ボタン１６ｂとの組合せ）を備えるものである。
【００３８】
この場合、上記制御部２２は、
（ａ）投出選択手段（例えばカップ投出ボタン１６ａ）によりカップの投出要が選択された場合、取出口へカップが投出された後、メダルが放出され、
（ｂ）投出選択手段（例えばカップ不要ボタン１６ｂ）によりカップの投出不要が選択された場合、取出口へカップが投出されることなく、メダルが放出される、
ような制御を行う。
【００３９】
この変形例においても、利用者が投出選択手段（カップ不要ボタン１６ｂ）によりカップの投出不要を選択することで、メダルの放出に際して不要なカップの投出を回避することができる。なお、この変形例では装置の構成および操作がやや複雑にはなる嫌いはあるが、操作が分かりやすく、カップの投出の要／不要の選択が確実に行えるという利点がある。
【００４０】
［変形例３］
次に、本実施形態（上記変形例１および２を含む）の更にもう１つの変形例について説明する。
【００４１】
この変形例は、図５のフローチャートにおいて、ステップＳ４をステップＳ１とステップＳ２との間に移動させるような形で、カップの投出選択の前にメダルの数量選択を行うようにしたものである。
【００４２】
例えば、上記変形例１を除いて、数量選択ボタン１１（図１）の押下後、ステップＳ２でカップ投出ボタン１６ａが押下されたら、ステップＳ３でカップを投出した後、直ちにステップＳ５で、選択された数量のメダルを放出すればよい。一方、上記変形例１および２において、ステップＳ２でカップ不要ボタン１６ｂが押下される場合は、利用者が手持ちのカップを取出口１５へ置く可能性がある。そこで、カップ不要ボタン１６ｂの押下後、直ちに（或いは所定時間後に）メダルを放出する場合、表示部１２（図１）等で予め「手持ちのカップを使用する場合は、カップ不要ボタンの押下前（或いは押下後、所定時間内）に取出口へ置いて下さい。」といった告知を行うなどの対策が必要となる。
【００４３】
また、上記実施形態（上記変形例１および２を除く）のようにカップ投出ボタン１６ａしかない場合は、「利用者がカップの投出不要としてカップ投出ボタン１６ａを押下しなかった」と判断するタイミングが問題となる。一方、上記変形例１のようにカップ不要ボタン１６ｂしかない場合は、「利用者がカップの投出要としてカップ不要ボタン１６ｂを押下しなかった」と判断するタイミングが問題となる。そこで、これらの判断のタイミングを数量選択ボタン１１を押下してから所定時間経過後に設定すると共に、表示部１２等で予め「カップ投出ボタン／カップ不要ボタンの操作は、数量選択ボタンを押下してから所定時間内に行って下さい。」といった告知を行うなどの対策が必要となる。
【００４４】
《第２の実施形態》
次に、本発明の第２の実施形態であるメダル貸出機について説明する。
【００４５】
［構  成］
本実施形態の構成は、以下の点で上記第１の実施形態と異なり、その他の構成は図１〜図５に示す上記第１の実施形態と同様である。
【００４６】
まず、本実施形態のメダル貸出機は、図２および図３に鎖線で示すような、メダル取出口１５におけるカップの有無を検知するカップ検知手段（例えばフォトセンサ）１８を備えている。また、本実施形態においては、制御部２２が、メダル放出前の所定の時点における、カップ検知手段１８によるカップの有無の検知等に応じて、メダル放出部１９およびカップ投出部１７を制御するように構成されている。
【００４７】
具体的には、制御部２２により図６のフローチャートに示すような制御が行われる。図６において、まずステップＳ１１で貨幣が投入され、ステップＳ１２で数量選択ボタン１１（Ｎｏ.１〜５のいずれか）の押下によりメダルの放出数量が選択される。そして、ステップＳ１３で、選択された数量（枚数）が所定の容器必要基準値（例えば１００枚）を下回る場合（例えば、ボタンＮｏ.１の５０枚の場合）は、カップが放出されることなく、ステップＳ１６で選択された数量（枚数）のメダルが取出口１５へ放出される。
【００４８】
これに対して、ステップＳ１３で、選択された数量（枚数）が容器必要基準値以上の場合（例えば、ボタンＮｏ.２〜５の１０５〜６００枚の場合）は、ステップＳ１４へ進む。そして、ステップＳ１４でカップ検知手段１８がカップ無しを検知している場合、ステップＳ１５でカップ投出部１７により取出口１５へカップが投出された後、ステップＳ１６で、選択された数量のメダルが取出口１５へ放出される。一方、ステップＳ１４でカップ検知手段１８がカップ有りを検知している場合は、カップが放出されることなく、ステップＳ１６で選択された数量のメダルが取出口１５へ放出される。
【００４９】
なお、ステップＳ１５のカップ投出が行われている場合は、投出されたカップ内にメダルが放出される。また、ステップＳ１５のカップ投出が行われてない場合でも、取出口１５にカップが置かれている場合には、そのカップ内にメダルが放出される。それ以外の場合は、メダルが取出口１５へ直接放出されることになる。
【００５０】
すなわち、制御部２２は、
数量選択ボタン１１により選択されたメダルの数量が容器必要基準値以上の場合においては、
（ｉ）カップ検知手段１８がカップ無しを検知している場合、取出口１５へカップが投出された後、メダルが放出され、
（ii）カップ検知手段１８がカップ有りを検知している場合、取出口１５へカップが投出されることなく、メダルが放出され、
数量選択ボタン１１により選択されたメダルの数量が容器必要基準値を下回る場合においては、カップ検知手段１８によるカップの有無の検知にかかわらず、取出口１５へカップが投出されることなく、メダルが放出される、
ような制御を行うように構成されている。
【００５１】
［作用効果］
本実施形態によれば、カップ必要基準値以上の比較的大量のメダルを放出する際、利用者が取出口１５へ手持ちのカップを置いた場合は、カップ検知手段１８がカップ有りを検知することで、メダルの放出に際して不要なカップの投出を回避することができる。これにより、上記第１の実施形態の場合と同様、必要以上に多くのカップが投出されることがなくなるので、装置へのカップの補充作業の頻度を減らすことができ、或いは装置へのカップの装填数を少なくしてスペースを取らないようにすることができる。また、不要となった空のカップの数を減らすことで、美観の悪化や片付け作業の問題を軽減することができる。
【００５２】
また、本実施形態によれば、カップ必要基準値を下回るような少量のメダルを放出する際には無条件でカップが放出されないようにして、不要なカップの投出をより確実に回避することができる。
【００５３】
《その他の実施形態》
上記第１の実施形態においても、上記第２の実施形態のように、数量選択ボタン１１によって選択されたメダルの放出数量が所定の容器必要基準値を下回っている場合、その他の条件にかかわらず取出口１５へカップが投出されないようにしてもよい。但し、その場合は、上記変形例３のようにカップの投出選択の前にメダルの数量選択を行うようにすることが好ましい。
【００５４】
《その他の変形例》
本発明は、以上の実施形態および変形例に限定されるものではなく、更に以下に列記するような変形も可能である。
【００５５】
（１）遊技媒体は、メダルに限らずパチンコ玉等の他の媒体であってもよい。
【００５６】
（２）媒体容器は、図３に示すような円形断面のカップに限らず、矩形状断面等の他の形状の容器であってもよく、比較的大量の遊技媒体を受けられるものであれば形状や材質を問わない。
【００５７】
（３）数量選択手段や投出選択手段は、図１に示すようなボタン１１，１６ａ，１６ｂに限らず、タッチパネル式ディスプレイ等の他の形態をとるものであってもよい。
【００５８】
（４）遊技媒体貸出装置は、貨幣に代えて、或いは貨幣と共に、プリペイドカード等の有価価値媒体を使用できるように構成してもよい。
【００５９】
（５）遊技媒体貸出装置は、貨幣等によって遊技媒体を購入するものに限らず、利用者が貯めておいた遊技媒体を引き出すような、いわゆる貯メダルや貯玉の払出し機として構成されていてもよい。
【００６０】
（６）遊技媒体貸出装置は、予め機内に装填された遊技媒体を放出するものに限らず、機外から供給される遊技媒体を放出するものであってもよい。
【００６１】
（７）遊技媒体貸出装置は、店舗側（管理者）の設定等により、数量選択手段によって選択された遊技媒体の放出数量が容器必要基準値以上の場合は無条件で媒体容器が投出され、それ以外の場合は媒体容器が投出されないような制御に切り換えられるように構成してもよい。
【図面の簡単な説明】
【００６２】
【図１】本発明による遊技媒体貸出装置の第１の実施形態としてのメダル貸出機を示す正面図。
【図２】図１に示したメダル貸出機の扉側を開いた状態を示す図。
【図３】図１に示したメダル貸出機の制御系を示すブロック図。
【図４】図１に示したメダル貸出機の取出口付近を模式的に示す斜視図。
【図５】図１に示したメダル貸出機の動作を示すフローチャート。
【図６】本発明によるメダル貸出機の第２の実施形態としてのメダル貸出機の動作を示すフローチャート。
【符号の説明】
【００６３】
１  機体
１Ａ  機体扉側
１Ｂ  機体本体側
１１  数量選択ボタン（数量選択手段）
１２  情報表示部
１３  硬貨投入口
１４  紙幣入出口
１５  メダル取出口（遊技媒体の取出口）
１６ａ  カップ投出ボタン（投出選択手段）
１６ｂ  カップ不要ボタン（投出選択手段）
１７  カップ投出部
１８  カップ検知手段（媒体容器検知手段）
１９  メダル放出部
２０  硬貨処理部
２１  紙幣処理部
２２  制御部
２３  メダル放出通路
Ｍ  メダル（遊技媒体）
Ｃ  カップ（媒体容器）
【図１】
2005202655.tif 000003
【図２】
2005202655.tif 000004
【図３】
2005202655.tif 000005
【図４】
2005202655.tif 000006
【図５】
2005202655.tif 000007
【図６】
2005202655.tif 000008